(57)【要約】【目的】本発明は、転写紙の枚数や厚さにより変化する転写紙束の厚さに応じて発生する不揃いを、簡単かつ確実に切断して小口を揃えることが可能な後処理装置及び画像形成装置を提供することを目的とする。【構成】用紙をスタックしてその中間位置を綴じ、その中間位置で折り重ねて製本する画像形成装置１の後処理装置２において、転写紙束Ｐの最も外側の端縁部を検知する検知手段３０９と、前記転写紙束Ｐの小口を断裁する切断手段３００と、を有し、前記検知手段３０９による検知情報により切断位置を決定し断裁処理を行う構成とした。また、本発明の画像形成装置１は、前記後処理装置２を接続可能である構成とした。これによって、転写紙束Ｐの小口が不揃いにならずに断裁することができる。【選択図】        図１
2004338170.tif 000002
【特許請求の範囲】
【請求項１】
用紙をスタックしてその中間位置を綴じ、その中間位置で折り重ねて製本する画像形成装置の後処理装置において、
用紙束の最も外側の用紙の端縁部を検知する検知手段と、
前記用紙束の小口を断裁する切断手段と、を有し、
前記検知手段による検知情報により切断位置を決定し断裁処理を行うことを特徴とする後処理装置。
【請求項２】
前記断裁処理を行うかどうかの選択をする機能選択手段を有することを特徴とする、請求項１記載の後処理装置。
【請求項３】
前記切断手段による切断量を入力する切断量入力手段と、
前記検知手段と前記切断手段との距離を、該切断量入力手段によって入力された切断量に設定する切断量調整手段と、
を有することを特徴とする、請求項１又は２記載の後処理装置。
【請求項４】
前記後処理装置は、現在設定されている切断量を表示する切断量表示手段を有することを特徴とする、請求項３記載の後処理装置。
【請求項５】
前記切断量調整手段で設定された切断量を記憶する切断量記憶手段を有することを特徴とする、請求項３又は４記載の後処理装置。
【請求項６】
前記検知手段による用紙束の端縁部の検知を、最初の１部目だけに行い、残用紙束に対しては１部目で決定した切断位置で断裁を行うことを特徴とする請求項１から５のいずれかに記載の後処理装置。
【請求項７】
前記検知手段による用紙束の端縁部の検知を、全ての用紙束で行うことを特徴とする請求項１から５のいずれかに記載の後処理装置。
【請求項８】
前記検知手段によって決定した切断位置を記憶する切断位置情報記憶手段と、
該切断位置情報記憶手段に、切断位置を記憶するかどうかを選択するための切断位置記憶選択手段と、
前記切断位置情報記憶手段に記憶された切断位置を呼び出す切断位置呼出手段と、を有することを特徴とする請求項１から７のいずれかに記載の後処理装置。
【請求項９】
請求項１から８のいずれかに記載の後処理装置を接続可能であることを特徴とする画像形成装置。
【発明の詳細な説明】
【０００１】
【産業上の利用分野】
本発明は、画像が形成された転写紙に、中綴じ処理及び中折り処理を行い、冊子を作成することができる後処理装置及び画像形成装置に関する。
【０００２】
【従来の技術】
コピー機等の画像形成装置には、画像形成が完了した転写紙を複数枚重ね、中綴じ処理及び中折り処理を行い、冊子を作成するものがある。このような冊子の場合、中折り処理の時に中折り部分の反対側である小口側が不揃いになり、ページがめくりにくく冊子としての見栄えも良くないといった問題があった。特に、転写紙の枚数が多くなると、大きな問題となってくる。
【０００３】
そのような問題点を解決するために、小口の不揃い部分を断裁する機能を有する画像形成装置の後処理装置が提案された（例えば特許文献１）。この後処理装置は、センサと裁断手段を有している。転写紙束の後端が通過したことをセンサが検知すると、その検知結果に基づいて、転写紙束を一定距離だけ搬送し、その後カッターで裁断する。こうすることで、小口が揃うので、ページがめくり易く又、見栄えがよい冊子を作ることが可能となった。
【０００４】
【特許文献１】
特開平１１−３４８４５１号公報  （段落００４４以降  図３）
【０００５】
【発明が解決しようとする課題】
しかし、上記のような方法では、常に小口が揃うわけではない。枚数が多い場合には、外側の転写紙ほど先端が中折り部分に近くなるため、センサで先端を検知後に一定距離を搬送した結果、外側の転写紙の先端部分がカッターを通過してしまい、不揃いの部分が一部残ってしまうということが起こり得る。紙厚が厚い転写紙を使用した場合には、枚数が少なくても、同じ理由で不揃い部分が残ってしまうことがある。
【０００６】
特許文献１には、切断位置を転写紙束の枚数に応じて調整するように構成することもできる旨の記載があり、それによって枚数が多い場合等でも小口を揃えることが可能となる。しかし、切断位置は、転写紙の枚数や厚さといったパラメータの組合せ毎に、切断屑を無用に増やさないような適切な位置に設定しなければならず、制御が難しい。また、切断位置を操作者が調整可能とした場合には、適切な切断位置となっているかどうかを確認するために試し切りをしなければならず、資源の無駄となる。
【０００７】
そこで、本発明は、転写紙の枚数や厚さにより変化する転写紙束の厚さに応じて発生する不揃いを、簡単かつ確実に切断して小口を揃えることが可能な後処理装置及び画像形成装置を提供することを目的とする。
【０００８】
【課題を解決するための手段】
上記の目的を達成するために本発明の後処理装置は、用紙をスタックしてその中間位置を綴じ、その中間位置で折り重ねて製本する画像形成装置の後処理装置において、用紙束の最も外側の用紙の端縁部を検知する検知手段と、前記用紙束の小口を断裁する切断手段と、を有し、前記検知手段による検知情報により切断位置を決定し断裁処理を行う構成とした。
【０００９】
また、前記断裁処理を行うかどうかの選択をする機能選択手段を有する構成としたり、前記切断手段による切断量を入力する切断量入力手段と、前記検知手段と前記切断手段との距離を、該切断量入力手段によって入力された切断量に設定する切断量調整手段と、を有することとしたり、現在設定されている切断量を表示する切断量表示手段を有する構成としたり、  前記切断量調整手段で設定された切断量を記憶する切断量記憶手段を有する構成としたり、前記検知手段による用紙束の端縁部の検知を、最初の１部目だけに行い、残用紙束に対しては１部目で決定した切断位置で断裁を行うこととしたり、前記検知手段による用紙束の端縁部の検知を、全ての用紙束で行うこととしたり、前記検知手段によって決定した切断位置を記憶する切断位置情報記憶手段と、該切断位置情報記憶手段に、切断位置を記憶するかどうかを選択するための切断位置記憶選択手段と、前記切断位置情報記憶手段に記憶された切断位置を呼び出す切断位置呼出手段と、を有する構成とすることもできる。
【００１０】
上記の目的を達成するために本発明の画像形成装置は、上記記載の後処理装置を接続可能であることとした。
【００１１】
【作用】
用紙束の小口を断裁する切断手段を、検知手段よりも用紙束の中折り部分側に配置し、用紙束の最も外側の端縁部を検知したところで、切断手段によって切断することによって、小口の不揃いを防止することができる。
【００１２】
検知手段と、切断手段との距離である切断量を切断量調整手段によって設定可能であることで、操作者が好みの切断量を簡単に設定できる。
【００１３】
【発明の実施の形態】
次に、本発明の後処理装置及び画像形成装置を、図面を基に説明する。図１は、本発明の画像形成装置及び後処理装置の構成図である。本発明は、画像形成装置１及び後処理装置２とから構成されており、後処理装置２は断裁装置３を有している。
【００１４】
画像形成装置１は、自動原稿送り装置１０１、原稿読取装置１０２、画像形成部１０３及び給紙カセット１０４等を有する。画像形成部１０３はさらに、感光体ドラム１０５、帯電装置１０６、像露光装置１０７、現像装置１０８、転写装置１０９、クリーニング装置１１０及び定着装置１１１等によって構成されている。
【００１５】
後処理装置２は、メイントレイ２０１、サブトレイ２０２、パンチ２０３、ステープラ２０４及び中折り装置２０５を有し、断裁装置３は、切断手段であるカッター３００及び排紙された断裁済みの小冊子をストックするストッカー３０３を有する。カッター３００は上刃３０１及び下刃３０２を有し、図示しない駆動装置によって上刃３０１が下刃３０２側に駆動するようになっている。切断手段としては、この他に丸刃からなるロータリーカッター等も用いることができる。図１では、後処理装置２に断裁装置３を取り付けるようになっているが、本発明はこのような実施例に限定されるものではなく、後処理装置２の内部にカッター３００等が組み込まれたものにも適用可能である。
【００１６】
このような画像形成装置１及び後処理装置２による冊子作成までの流れを次に示す。まず、原稿読取装置１０２は、原稿を画像データとして読みこむ。次に帯電装置１０６が感光体ドラム１０５を一様に帯電させ、像露光装置１０７が画像データを感光体ドラム１０５に静電潜像として形成する。静電潜像は、現像装置１０８によってトナーを吸着されトナー画像となる。さらに、転写装置１０９が給紙カセット１０４から搬送されてきた転写紙Ｓにトナー画像を転写し、定着装置１１１は該トナー画像を加熱、溶融して転写紙Ｓに定着する。その後転写紙Ｓは、搬送経路切換板１１２によって反転経路１１３へ表裏反転されて、再度画像形成部１０３へ搬送される。両面コピーが完了した場合には、搬送経路切換板１１２が下がることで、転写紙Ｓは排出ローラ１１４に送られる。一方、転写後に感光体ドラム１０５に残ったトナーは、クリーニング装置１１０によって回収される。
【００１７】
排出ローラ１１４から画像形成装置１の外へ排出された転写紙Ｓは、後処理装置２へ搬送される。後処理を行わない場合はそのままサブトレイ２０２へ排出され、パンチ処理を行う場合はパンチ２０３によってパンチされてメイントレイ２０１へ排出される。冊子を作成する場合には、搬送されてきた転写紙Ｓは、１冊分の転写紙Ｓが揃うまで、中綴じストッパー２０６によって、ステープラ２０４にストックされる。１冊分の転写紙Ｓが揃ったところでステープラ２０４は転写紙Ｓの中央にステープルを止めて転写紙束Ｐとする。ここで作成されるのは、転写紙束Ｐの他に、転写紙束Ｐに表紙や色紙等を挿入された用紙束もある。以下では転写紙束Ｐを例にして説明を行うが、本発明は用紙束に対しても適用可能である。ステープラ２０４で中綴じされた転写紙束Ｐは、中折り装置２０５へ搬送され、突起片２０７によって転写紙束Ｐの中央部分を折りローラ２０８へ押しこまれ、中折り処理が施される。
【００１８】
中折り処理を施された転写紙束Ｐは、断裁装置３へ搬送される。そして、切断手段であるカッター３００の上刃３０１と下刃３０２によって小口を切り揃えられ、小口を下に向けた状態でストッカー３０３に排出される。
【００１９】
図２は、断裁装置の要部の構成図である。転写紙束Ｐは、中折り部分を先頭にして搬送ベルト３０４，３０５等によって搬送され、ストッパ３０６に当った所で停止する。ストッパ３０６は、転写紙束Ｐのサイズによってその位置が変わるため、転写紙束Ｐの小口付近に、常にカッター３００がくるようになっている。断裁処理は、上刃３０１が図示しない駆動装置によって図の下方向へ移動することによって行われる。このとき、押圧部材３０７，３０８が転写紙束Ｐを押さえる。
【００２０】
検知手段３０９は、光学式の変位センサであり、転写紙束Ｐのうち、一番外側の転写紙Ｓの端縁部Ｔを検知するものである。変位センサは、転写紙Ｓ等の対象物との距離を検知するセンサである。
【００２１】
図３は、断裁装置の切断手段と検知手段周辺の拡大図である。検知手段３０９は切断手段であるカッター３００よりも、搬送経路の上流側に設置されており、転写紙束Ｐの切断位置すなわちカッター３００と検知手段３０９との間は、距離Ｗだけ離れている。この距離Ｗは小口の切断量となっている。
【００２２】
断裁装置３による断裁手順は次のようになる。まず、中折り処理が行われた転写紙束Ｐが断裁装置３へ搬送される。次に、検知手段３０９とカッター３００が、一定の距離Ｗを維持したまま、図３の矢印Ｙ１方向へ移動する。検知手段は、転写紙束Ｐの一番外側の転写紙Ｓとの距離を検知する。そのまま移動していき、検知手段３０９が端縁部Ｔを越えると、該検知手段３０９は端縁部Ｔとその内側にある転写紙との距離Ｄだけ長くなった距離を検知する。そこで、検知手段３０９の検知する値が変化したところで、カッター３００及び検知手段３０９は停止し、上刃３０１によって転写紙束Ｐを断裁する。この時、切断位置は、端縁部Ｔから距離Ｗだけ中折り部分側にあるため、切断後の不揃いが防止できる。本実施例では、検知手段３０９を転写紙束Ｐの下側にだけ配置しているが、上側に配置することも可能である。さらに、転写紙束Ｐの上側と下側の両方に配置することも可能である。
【００２３】
ステープラ２０４による中綴じ処理の時に転写紙Ｓがきちんと揃わない場合や、中折り装置２０５による中折り処理では、正確に転写紙Ｓの中央ではなく、それよりもわずかにずれたところに折り目をつけてしまう場合もある。その場合、端縁部Ｔの位置が上側と下側で違ってしまう。検知手段３０９が上下に配置されていると、そのような場合でも、最初に検知した端縁部Ｔの位置で切断することができ、不揃いの防止がより確実となる。
【００２４】
断裁装置３の種類によって、図４（ａ），（ｂ）に示すように転写紙束Ｐの搬送されてくるときの向きが２通りある。図４（ａ）は、中折り部分が先頭になって搬送される場合であり、図２で示した向きに相当する。このような断裁装置３の場合は、カッター３００及び検知手段３０９が矢印Ｙ１方向へ移動して端縁部Ｔを検知する。一方、（ｂ）に示すように小口側が先になって搬送されてくる場合には、検知手段３０９の方がカッター３００よりも下流側に配置され、矢印Ｙ２の方向へ移動しながら端縁部Ｔを検知する。この時、検知手段３０９とカッター３００は同時に移動しても良いし、検知手段３０９が先に移動し、端縁部Ｔを検知したところでカッター３００が、検知手段３０９から距離Ｗだけ離れた位置に移動することとしても良い。
【００２５】
なお、本発明では、上記のようにカッター３００と検知手段３０９が移動して端縁部Ｔを検知する方法だけでなく、カッター３００及び検知手段３０９を固定して、転写紙束Ｐを図４（ａ）の場合には矢印Ｙ１の逆方向に、図４（ｂ）の場合には矢印Ｙ２の逆方向に移動させることによって端縁部Ｔを検知するものであってもよい。
【００２６】
図５は、本発明の画像形成装置及び後処理装置のブロック図である。全体制御部５０１は、画像形成装置１に設けられており、該画像形成装置１内の各装置を協働するように制御するものである。制御部５０２は、後処理装置２に配置されており、後処理装置２及び断裁装置３に内蔵された各装置を協働するように制御するものである。操作部５０３は、画像形成装置１に配置されたテンキー等であり、操作者が画像形成装置１に対して、コピー枚数やコピー開始等の指示を行うときに使用する。表示部５０４は、操作部５０３によって指示された内容を表示する他に、タッチパネルからコピーに使用する転写紙Ｓのサイズの選択や、冊子作成モードの設定等を行うこともできる。
【００２７】
機能選択手段５０５は、上記したように検知手段３０９によって転写紙束Ｐを検知してカッター３００によって断裁する方法で断裁処理を行うか、行わないかといった選択を、操作者が行うものである。冊子にしたものであっても転写紙Ｓが４枚程度しか使われていないようなものもある。そのような冊子では、小口の断裁処理を行わなくても、ページめくりや見栄えが問題になることが少ない。また、作成する冊子によっては、サイズの違う転写紙Ｓを混ぜることがあり、そのような時には断裁しない方がよい場合がある。
【００２８】
切断量入力手段５０６、切断量表示手段５０７、切断量記憶手段５０８及び、切断量調整手段５０９は、図３で示した検知手段３０９とカッター３００との距離Ｗすなわち切断量を増減し調整するためのものである。Ｗの値が変更可能となることで、操作者が所望の切断量を設定することができるようになる。転写紙束Ｐを移動して端縁部Ｔを検知する後処理装置２の場合には、距離Ｗを変化させるのではなく、端縁部Ｔを検知してから転写紙束Ｐを停止させるまでのタイミングを変化させることで切断量を設定してもよい。
【００２９】
図６は、断裁処理に関する設定メニューのレイアウトを示す図である。図６に示す画面が、表示部５０４に表示される。三角形のボタンが２つ配置された調整ボタン６０１を操作者が押すと、切断量入力手段５０６にどちらのボタンが押されたかが通知される。表示領域６０２には、切断量表示手段５０７によって、切断量が表示される。ここには数値の他、カッター３００と検知手段３０９との距離Ｗを模式的に表した図を表示することも可能である。
【００３０】
図７は、切断量を調整するためのフローチャートである。図６に示したメニューが表示されると、切断量表示手段５０７は、切断量記憶手段５０８に記憶されている現在の距離Ｗを表示領域６０２に表示する（Ｓ１０１）。調整ボタン６０１を押された場合には（Ｓ１０２  Ｙｅｓ側）、切断量入力手段５０６が新しい距離Ｗを計算して切断量調整手段５０９に渡す。切断量調整手段５０９は、検知手段３０９とカッター３００との距離Ｗが受け取った値になるように、検知手段３０９又はカッター３００又はその両方をリニアモータ又はモータ等の駆動装置によって移動させる（Ｓ１０３）。図６のＯＫボタン６０３が押された場合は、その時点での切断量が切断量記憶手段５０８に格納される（Ｓ１０４）。一方、図６のキャンセルボタン６０４が押された場合には、距離Ｗを図６の画面が呼び出された時の状態に戻す。
【００３１】
図８は複数部を断裁する時の手順を示したフローチャートである。これは図６の「断裁機能１」ボタン６０５を選択した場合に実行される。手順は図３で説明したものと同じであり、まず、転写紙束Ｐの外側の端縁部Ｔを検知手段３０９で検知し（Ｓ２０１）、端縁部Ｔを検知したところで検知手段３０９とカッター３００の移動を停止して、押圧部材３０７，３０８によって転写紙束Ｐを固定する（Ｓ２０２）。そしてカッター３００によって小口を切断する（Ｓ２０３）。以上のような動作を、指定部数になるまで行う（Ｓ２０４）。このように、同一冊子を複数部作る場合に、各転写紙束Ｐに対して端縁部Ｔを検知することで、小口の不揃いを確実に防止できる。
【００３２】
検知手段３０９による端縁部Ｔの検知には、ある程度の時間が必要であり、作成する冊子の部数が多い時に、毎回検知をしていたのでは、冊子の作成に多くの時間がかかってしまう。そこで、最初の１部目だけ端縁部Ｔを検知して、２部目以降は検知を行わずに１部目と同じ位置で断裁する方法も考えられる。図９は、１部目だけ検知を行う場合のフローチャートである。これは図６の「断裁機能２」ボタン６０６を選択した場合に実行される。断裁装置３に搬送されてきた転写紙束Ｐが１部目かどうか判定し（Ｓ３０１）、１部目であった場合には図８のフローチャートと同様に、端縁部Ｔを検知し（Ｓ３０２）、検知したところでカッター３００を停止して、押圧部材３０７，３０８によって転写紙束Ｐを固定し（Ｓ３０３）、小口を切断する（Ｓ３０４）。そして、指定部数に達していない場合は、Ｓ３０１に戻る（Ｓ３０５）。Ｓ３０１に戻ってきた時、カッター３００は１部目を切断した位置から移動していない。そのため、２部目以降の転写紙束Ｐについては、端縁部Ｔの検知を行わずに断裁することが可能である（Ｓ３０１
Ｎｏ側）。
【００３３】
冊子の作成部数によっては、一度の処理で全ての部数を作成できない場合がある。また、後日同じ冊子を追加で作成するような場合も考えられ、そのような時にカッター３００の位置を、前回断裁した時の位置にできれば、冊子の作成がより効率的となる。
【００３４】
図５のブロック図中の、切断位置情報記憶手段５１０、切断位置記憶選択手段５１１及び切断位置呼出手段５１２が、前回断裁した時の位置による断裁処理に関する制御手段である。切断位置情報記憶手段５１０は、検知手段３０９が転写紙束Ｐの端縁部Ｔを検知した時のカッター３００の位置を記憶するものである。切断位置記憶選択手段５１１は、現在の位置を切断位置情報記憶手段５１０に記憶するかどうかの選択を促すものであり、切断位置呼出手段５１２は、切断位置情報記憶手段５１０に複数の切断位置を記憶できる場合に、どの切断位置を使用するかを選択するためのものである。
【００３５】
図１０は、切断位置を使用した断裁処理を示したフローチャートである。これは図６で「断裁機能３」ボタン６０７を選択されている場合に実行される。コピー処理が開始されると、前回の切断位置を使用するかどうかの入力を操作者に促す（Ｓ４０１）。前回の切断位置を使用する場合には、切断位置呼出手段５１２によって図１１に示すような画面が表示部５０４に表示される。図１１では切断位置を３つ記憶できることになっているが、本発明は３つに限定するものではない。図１１の画面で、必要な切断位置を選択すると、切断位置呼出手段５１２は切断位置情報記憶手段５１０から該当する切断位置の情報を取り出し、カッター３００を当該切断位置に移動する（Ｓ４０２）。Ｓ４０２で切断位置を呼び出した場合には、端縁部Ｔの検知は不要なので１部目ではないものとして（Ｓ４０３Ｎｏ側）、転写紙束Ｐが図２のストッパー３０６に当って、停止したところで断裁を行う（Ｓ４０６）。Ｓ４０１で新規処理を選択した場合は、図９と同様に、検知手段３０９が転写紙束Ｐの端縁部Ｔを検知し（Ｓ４０４）、端縁部Ｔを検知したところで検知手段３０９およびカッター３００の移動を停止して、押圧部材３０７，３０８によって転写紙束Ｐを固定して（Ｓ４０５）、断裁を行う（Ｓ４０６）。あらかじめ指定された部数の処理が終わっていない場合はＳ４０３に戻り（Ｓ４０７  Ｎｏ側）、全ての処理が終わった場合には（Ｓ４０７  Ｙｅｓ側）、切断位置記憶選択手段５１１によって、図１２に示すような、Ｓ４０４で決定したカッター３００の位置を記憶するかどうかの選択を促す画面が表示される（Ｓ４０８）。
【００３６】
図１２は、切断位置を記憶するかどうかの選択画面を示す図である。図１２の画面で「ＯＫ」を選択すると（Ｓ４０８  Ｙｅｓ側）、切断位置記憶選択手段５１１は、切断位置情報記憶手段５１０に切断位置を記憶する（Ｓ４０９）。「キャンセル」を選択した場合には、切断位置の記憶は行われない。
【００３７】
【発明の効果】
以上のように、本発明の後処理装置によれば、用紙をスタックしてその中間位置を綴じ、その中間位置で折り重ねて製本する画像形成装置の後処理装置において、用紙束の最も外側の用紙の端縁部を検知する検知手段と、前記用紙束の小口を断裁する切断手段と、を有し、前記検知手段による検知情報により切断位置を決定し断裁処理を行う構成とすることで、断裁時の小口の不揃いを防止することができる。
【００３８】
前記検知手段と前記切断手段による切断量を入力する切断量入力手段と、前記検知手段と前記切断手段との距離を、該切断量入力手段によって入力された切断量に設定する切断量調整手段と、を有する構成とすることで、操作者の好みの切断量を設定することができる。
【００３９】
前記検知手段によって決定した切断位置を記憶する切断位置情報記憶手段と、該切断位置情報記憶手段に、切断位置を記憶するかどうかを選択するための切断位置記憶選択手段と、前記切断位置情報記憶手段に記憶された切断位置を呼び出す切断位置呼出手段と、を有する構成とすることで、一度に断裁処理ができない場合にも、前回の切断位置で断裁することが可能となる。
【００４０】
以上のように、本発明の画像形成装置によれば、前記後処理装置を接続可能であることで、冊子作成時に冊子の小口の不揃いを防止することができる。
【図面の簡単な説明】
【図１】本発明の画像形成装置及び後処理装置の構成図である。
【図２】断裁装置の要部の構成図である。
【図３】断裁装置の切断手段と検知手段周辺の拡大図である。
【図４】転写紙束の搬送される方向を示す図である。
【図５】本発明の画像形成装置及び後処理装置のブロック図である。
【図６】断裁処理に関する設定メニューのレイアウトを示す図である。
【図７】切断量を調整するためのフローチャートである。
【図８】断裁の手順を示したフローチャートである。
【図９】１部目だけ検知を行うフローチャートである。
【図１０】切断位置を使用した断裁処理を示したフローチャートである。
【図１１】切断位置呼出手段によって表示される画面を示す図である。
【図１２】切断位置を記憶するかどうかの選択画面を示す図である。
【符号の説明】
１            画像形成装置。
２            後処理装置
３００        切断手段（カッター）
３０９        検知手段
５０６        切断量入力手段
５０７        切断量表示手段
５０８        切断量記憶手段
５０９        切断量調整手段
５１０        切断位置情報記憶手段
５１１        切断位置記憶選択手段
５１２        切断位置呼出手段
Ｓ            転写紙
Ｐ            転写紙束
【図１】
2004338170.tif 000003
【図２】
2004338170.tif 000004
【図３】
2004338170.tif 000005
【図４】
2004338170.tif 000006
【図５】
2004338170.tif 000007
【図６】
2004338170.tif 000008
【図７】
2004338170.tif 000009
【図８】
2004338170.tif 000010
【図９】
2004338170.tif 000011
【図１０】
2004338170.tif 000012
【図１１】
2004338170.tif 000013
【図１２】
2004338170.tif 000014